(57)【特許請求の範囲】
【請求項１】
クラブヘッドに被せるヘッド保護部とシャフトのネック側に被せるシャフト保護部が一連に設けられ、ヘッド保護部はクラウン被覆部、フェース被覆部、及びソール被覆部を備えたゴルフクラブ用ヘッドカバーにおいて、
前記ソール被覆部に、クラブヘッドを押し込み又は引き抜き可能なヘッド出入口が開口され、
前記シャフト保護部に、シャフトのネック側（上部）を押し込み又は引き抜き可能なシャフト出入口が設けられ、
前記ヘッド出入口はソール被覆部のネック側に開口され、
前記シャフト出入口はシャフト保護部の背面側であってヘッド出入口からシャフト保護部の下端部まで一連に開口され、
ソール被覆部のヘッド出入口側の幅方向両端部が、クラウン被覆部の端部とフェース被覆部の端部から分離され、分離された幅方向両端部がクラウン被覆部の端部とフェース被覆部の端部に伸縮材により連結されて、ヘッド出入口へのヘッド押し込み時又はヘッド出入口からのヘッド取り出し時に伸縮材が伸縮するようにした、
ことを特徴とするゴルフクラブ用ヘッドカバー。
【請求項２】
請求項１記載のゴルフクラブ用ヘッドカバーにおいて、
シャフト保護部にシャフト保持具を備え、
前記シャフト保持具は、シャフトを押し込み又はシャフトを引き出し可能な開口部と、押し込まれたシャフトを保持可能な保持部を備えた、
ことを特徴とするゴルフクラブ用ヘッドカバー。
【請求項３】
請求項１又は請求項２記載のゴルフクラブ用ヘッドカバーにおいて、
シャフト保持具がシャフト保護部のクッション内に設けられた、
ことを特徴とするゴルフクラブ用ヘッドカバー。
【請求項４】
請求項１から請求項３のいずれか１項に記載のゴルフクラブ用ヘッドカバーにおいて、
シャフト出入口に、当該出入口を開閉可能な開閉具が設けられた、
ことを特徴とするゴルフクラブ用ヘッドカバー。
【発明の詳細な説明】
【技術分野】
【０００１】
本発明は、ゴルフクラブ用ヘッドカバー（以下、単に「ヘッドカバー」という）に関するものである。
【背景技術】
【０００２】
ゴルフクラブ（以下、単に「クラブ」という）にはウッドクラブ、アイアンクラブ、ユーティリティクラブ、パターがある。ヘッドカバーはクラブヘッド（以下、単に「ヘッド」という）からシャフトに被せてヘッド及びシャフトを保護するものである。
【０００３】
ウッドクラブ、特に、ドライバーは飛距離、方向性等々の面から改良が重ねられ、近年はヘッドが大型化（容積が４００ｃｃ前後）、シャフトは長尺化（４５インチ前後）の傾向にある。それに伴ってウッドクラブ用のヘッドカバーも大型化している。
【０００４】
ウッドクラブ用のヘッドカバーのほとんどは、ヘッドに被せるヘッド保護部と、シャフトに被せるシャフト保護部を備えている。ヘッド保護部はヘッドに合わせて大きくし、シャフト保護部はシャフトに合わせて細くしてある。
【０００５】
クラブの出し入れを容易にするヘッドカバーの例として従来は特許文献１、２のものがある。
【０００６】
特許文献１のヘッドカバーは、ヘッドカバーに開口部と前記開口部を開閉可能なくちばし状の開閉蓋を設けたものであり、開口部の周囲と開閉蓋の周囲に磁石が設けられている。開閉蓋を閉じると開口部の磁石と開閉蓋の磁石が吸着固定して開口部が閉塞され、開閉蓋を開くと前記両磁石の吸着が解除されて開口部が開かれる。開いた開口部からはヘッドを出し入れ可能としてある。
【０００７】
特許文献２のヘッドカバーは、ニット製のシャフト保護部にスリットが設けられ、スリットを開閉することにより、ヘッドを出し入れ可能としてある。
【先行技術文献】
【特許文献】
【０００８】
【特許文献１】特開２００６−２３９４１６号公報
【特許文献２】特開２００６−２１０３６号公報
【発明の概要】
【発明が解決しようとする課題】
【０００９】
前記特許文献１及び２記載のヘッドカバーは、それ以前のヘッドカバーに比べるとヘッドの出し入れが容易であるが、いずれも、ヘッドの出し入れに両手を使用しなければならず、出し入れが面倒であった。このような面倒は前記特許文献１及び２以外の既存のヘッドカバーの多くも同様であった。
【００１０】
前記面倒があるため、プレー開始前から終了まで、ヘッドカバーを外しておくプレーヤーもいる。この場合、カートで移動中にキャディーバッグ内でクラブ同士が接触して、ヘッドやシャフトが傷付くことがある。
【００１１】
本発明は、ヘッドの出し入れを容易にして前記面倒を解消し、クラブ使用時以外はヘッドカバーを被せておくことにより、ヘッドやシャフトの傷付きを防止できるヘッドカバーを提供することにある。
【課題を解決するための手段】
【００１２】
本発明のヘッドカバーは、ヘッドに被せるヘッド保護部とシャフトのネック側に被せるシャフト保護部が一連に設けられ、ヘッド保護部が少なくともクラウン被覆部、フェース被覆部及びソール被覆部を備えたヘッドカバーにおいて、前記ソール被覆部に、ヘッドを押し込み又は引き抜き可能なヘッド出入口が開口され、前記シャフト保護部に、シャフトのネック側（上部）を押し込み又は引き抜き可能なシャフト出入口が設けられ、ヘッド出入口はソール被覆部のネック側に開口され、前記シャフト出入口はシャフト保護部の背面側であってヘッド出入口からシャフト保護部の下端部まで一連に開口されたものである。
【００１３】
前記ヘッドカバーは、シャフト保護部にシャフト保持具を備え、そのシャフト保持具がシャフトを押し込み又はシャフトを引き出し可能な開口部と、押し込まれたシャフトを保持可能な保持部を備え、開口部がシャフト出入口に向けてシャフト保護部に取付けられたものとすることもできる。シャフト保持具はシャフト保護部のクッション材内に設けて、保持するシャフトに傷付き難くするのが望ましい。
【００１４】
前記ヘッドカバーは、ソール被覆部のヘッド出入口側の幅方向両端部が、クラウン被覆部とフェース被覆部から分離されて、ソール被覆部のヘッド出入口側が、ヘッド出入口へのヘッド押し込み時に起き上がるようにすることもできる。分離したソール被覆部の出入口側の幅方向両端部の両端をクラウン被覆部とフェース被覆部に伸縮材により連結して、ヘッド出入口へのヘッド押し込み時又はヘッド出入口からのヘッド取り出し時に、それら伸縮材が伸縮するようにすることもできる。伸縮材を設けることによりソール被覆部のヘッド出入口側が型崩れし難くなり、ヘッド出入口内にヘッドを押し込み易くなる。
【００１５】
前記ヘッドカバーは、シャフト出入口に、当該出入口を開閉可能な開閉具を設けることもできる。
【発明の効果】
【００１６】
本発明のヘッドカバーは、次の効果を有する。
（１）ヘッド出入口が開口されているため、従来のように両手でカバーを開いてクラブを出し入れする必要がなく、クラブの出し入れが簡便になる。このため、クラブ使用の度に出し入れしてクラブの傷付きを防止することができる。
（２）ヘッド出入口がソール被覆部の下部にしか開口されていないため、クラブのフェース及びクラウン部分は確実にカバーされて傷付くおそれがない。
（３）シャフト保持具を設けた場合は、シャフトの保持が確実になり、クラブがヘッドカバーから脱落しにくくなる。
（４）ソール被覆部の出入口側の幅方向両端部が、クラウン被覆部とフェース被覆部から分離されて、ソール被覆部のヘッド出入口側が、ヘッド出入口へのヘッド押し込み時にヘッドで押されると起き上がるようにすれば、ヘッド出し入れ口を小さめにしてヘッドを脱落しにくくしても、ヘッドの出し入れは容易である。分離されているソール被覆部の出入口側の幅方向両端部をクラウン被覆部とフェース被覆部に伸縮材により連結すれば、ソール被覆部のヘッド出入口側が形崩れし難くなり、ヘッドの出し入れが容易になる。
（５）シャフト保持具の他に、シャフト出入口の上部を開閉可能な開閉具を設けた場合は、開閉具を閉じるとシャフトのネック付近が保持されるため、シャフト保持具だけの場合よりもヘッドが脱落しにくくなる。
【図面の簡単な説明】
【００１７】
【図１】（ａ）は本発明のヘッドカバーの一例を示す上方斜視図、（ｂ）は（ａ）の下方斜視図。
【図２】（ａ）〜（ｃ）は図１（ａ）、（ｂ）のヘッドカバーにクラブを押し込む手順を示す説明図。
【図３】（ａ）はシャフト保持具として円柱状の部材を設けたヘッドカバーの斜視図、（ｂ）は（ａ）のシャフト保持具の説明図。
【図４】（ａ）〜（ｃ）は図３（ａ）のヘッドカバーにクラブを押し込む手順を示す説明図。
【図５】図３（ａ）のヘッドカバーにクラブを押し込んで収容した状態を示す縦断面図。
【図６】図３（ａ）のヘッドカバーの分離部に伸縮材を取付けた場合の概略説明図。
【図７】（ａ）はシャフト保持具としてリング状の部材を設けたヘッドカバーの斜視図、（ｂ）は（ａ）のシャフト保持具の説明図。
【図８】シャフト保護部にシャフト保持具として線状（紐状）或いは棒状の磁石を設けた場合の斜視図。
【図９】シャフト保護部にシャフト保持具として丸ボタン状の磁石を設けた場合の斜視図。
【図１０】シャフト保持具の他例を示すもので、（ａ）は回動片が閉じた状態の斜視図、（ｂ）は回動片が開いた状態の斜視図。
【図１１】（ａ）は図３（ａ）のヘッドカバーにシャフトを押し込む場合のＡ−Ａ断面図、（ｂ）は図８のヘッドカバーにシャフトを押し込む場合のＢ−Ｂ断面図、（ｃ）は図９のヘッドカバーにシャフトを押し込む場合のＣ−Ｃ断面図。
【図１２】シャフト保護部の上部に開閉具として丸ボタン状の磁石を設け、下部に筒状の保持具を設けた場合の斜視図。
【図１３】（ａ）、（ｂ）は図１２のヘッドカバーにクラブを押し込む手順を示す説明図。
【発明を実施するための形態】
【００１８】
（実施形態１）
本発明のヘッドカバー１の第１の実施形態を、図１（ａ）、（ｂ）及び図２（ａ）〜（ｃ）を参照し、右打ち用クラブに使用する場合を基準として説明する。なお、左打ち用クラブの場合、フェース被覆部が右打ち用クラブに使用する場合の反対側になる。図１（ａ）、（ｂ）に示すヘッドカバー１はクラブＣ（図２（ａ）〜（ｃ））のヘッドＨに被せるヘッド保護部２と、シャフトＳのネックＮ側に被せるシャフト保護部３が一連に形成されたものである。
【００１９】
ヘッド保護部２はクラウン被覆部４（図１（ｂ））、フェース被覆部５（図２（ａ））及びソール被覆部６（図１（ａ））を備えている。前記ソール被覆部６には、ヘッドＨを押し込み又は引き抜き可能なヘッド出入口７が開口されている。シャフト保護部３にはシャフトＳのネックＮ側を押し込み又は引き抜き可能なシャフト出入口８が開口されている。ヘッド出入口７はソール被覆部６の下部側に開口され、シャフト出入口８はシャフト保護部３の背面側であってヘッド出入口７からシャフト保護部３の下端まで一連に開口されている。
【００２０】
ヘッド出入口７は図２（ａ）〜（ｃ）に示すように、ヘッドＨを押し込み可能な広さに開口されている。ソール被覆部６の開口側端部６ａは多少伸縮性があるため、ヘッド出入口７はヘッドＨよりも多少小さめにして、ヘッドＨを強く押し込んでヘッドＨが抜け落ちないようにするのがよい。シャフト出入口８はシャフト保護部３の背面略中央部に縦方向に開口されている。
【００２１】
ヘッド保護部２もシャフト保護部３も、表面は皮革、合成皮革、樹脂、その他の材料で形成され、内面は布、その他の材料で形成され、表面材と内面材の間に弾力性のあるクッション材１０（図１１（ａ）〜（ｃ））が内包されている。
【００２２】
（使用例１）
図１（ａ）、（ｂ）のヘッドカバー１は図２（ａ）〜（ｃ）のように使用することができる。ヘッドカバー１を一方の手（例えば、左手）に持ち、クラブＣを他方の手（例えば、右手）に持って、ヘッドＨを図２（ａ）のヘッド出入口７内にその下方から図２（ｂ）のように押し込む。このときヘッドカバー１は多少押し広げられるが、ヘッドＨが完全に押し込まれると自動的に押し込み前の状態に戻る。その後に、図２（ｃ）のようにシャフトＳをシャフト出入口８に押し込んで、ヘッドＨ及びシャフトＳのネック側をヘッドカバー１内に押し込んでヘッドカバー１を被せる（図２（ｃ））。このとき、シャフト保護部３は多少内側に押し込まれるが、シャフトＳが完全に押し込まれると自動的に押し込み前の状態に戻る。
【００２３】
図２（ｃ）のようにヘッドカバー１を被せてあるヘッドＨを、ヘッドカバー１から取り出す（ヘッドカバー１を外す）には、ヘッドカバー１を一方の手（例えば、左手）に持ち、シャフトＳの下部を他方の手（例えば、右手）に持って、シャフトＳを図２（ｂ）とは逆に上方に持ち上げてシャフト出入口８から抜き出す。このとき、シャフト出入口８は多少外側に広がるが、シャフトＳが完全に抜けると抜き出し前の状態に自動的に戻る。その後、シャフトＳを引き下げて、ヘッドＨを図２（ａ）とは逆にヘッド出入口７から抜き出す。このときも、ヘッドカバー１は多少広げられるが、ヘッドＨが完全に抜けると自動的に元の状態に戻る。
【００２４】
（実施形態２）
本発明のヘッドカバー１の第２の実施形態を、図３（ａ）、（ｂ）を参照して説明する。図３（ａ）に示すヘッドカバー１は、ヘッド出入口７に続くシャフト出入口８を図１（ａ）の場合よりも広く開口してある。ソール被覆部６のヘッド出入口７側の幅方向両端部６ｂが、クラウン被覆部４の端部４ａとフェース被覆部５の端部５ａから分離されてソール被覆部６の開口側端部６ａがヘッドＨの出し入れ時に起き上がるようにしてある。シャフト保護部３内のクッション材１０内に円筒状のシャフト保持具１１を設けてある。図３（ａ）に示すヘッドカバー１のうち、図１（ａ）、（ｂ）及び図２（ａ）〜（ｃ）に示すものと共通する構成はそれらと同じである。
【００２５】
図３（ａ）、（ｂ）に示すシャフト保持具１１は円筒状の筒状部材であり、その周方向一部に軸方向に開口する開口部１２を備えている。シャフト保持具１１は金属製或いは樹脂製であり、開口部１２の幅を押し込むシャフトＳの直径よりも多少狭くして、開口部１２にシャフトＳを押し込むと開口部１２が押し広げられてシャフトＳが開口部１２の奥の保持部１３内に押し込まれて、保持部１３内に保持されるようにしてある。開口部１２の両縁部は多少外広がりにしてシャフトＳを押し込み易くしてある。
【００２６】
前記シャフト保持具１１は、開口部１２が常にシャフト出入口８の正面を向く様に、シャフト保護部３のクッション材１０内に配置固定されている。シャフト保持具１１はその開口部１２をシャフト出入口８に向けてシャフト保護部３に固定してある。固定は糸での縫い付けとか接着剤での接着といった各種手段で行うことができる。
【００２７】
（使用例２）
図３（ａ）のヘッドカバー１は図４（ａ）〜（ｃ）のように使用することができる。ヘッドカバー１を一方の手（例えば、左手）に持ち、クラブＣを他方の手（例えば、右手）に持って、ヘッドＨを図４（ａ）のヘッド出入口７内にその下方から図４（ｂ）のように押し込む。その後に、図４（ｃ）のようにシャフトＳをシャフト出入口８に押し込んで、ヘッドＨ及びシャフトＳのネックＮ側をヘッドカバー１内に押し込む（ヘッドカバー１を被せる：図４（ｃ））。このときシャフトＳは保持部１３内に押し込まれて保持される（図５、図１１（ａ））。
【００２８】
図５のようにヘッドカバー１を被せてあるヘッドＨを、ヘッドカバー１から取り出す（ヘッドカバー１を外す）には、ヘッドカバー１を一方の手（例えば、左手）に持ち、シャフトＳの下部を他方の手（例えば、右手）に持って、シャフトＳを上方に持ち上げてシャフト保持具１１から抜き出す。その後に、シャフトＳを引き下げて、ヘッドＨを図４（ａ）とは逆にヘッド出入口７から抜き出す。
【００２９】
（実施形態３）
本発明のヘッドカバー１は図６に示すように、ソール被覆部６のヘッド出入口７側の幅方向両端部６ｂが、クラウン被覆部４の端部４ａとフェース被覆部５の端部５ａから分離され、分離された幅方向両端部６ｂをクラウン被覆部４の端部４ａとフェース被覆部５の端部５ａに伸縮材１８により連結して、ヘッド出入口７へのヘッド押し込み時又はヘッド出入口７からのヘッド取り出し時に、それら伸縮材１８が伸縮するようにすることもできる。伸縮材１８を設けることによりソール被覆部６のヘッド出入口側端部６が形崩れし難くなり、ヘッド出入口７内にヘッドＨを押し込み易くなる。図６に示すヘッドカバー１のうち図１（ａ）、（ｂ）及び図３（ａ）に示すものと共通する構成はそれらと同じである。図６には設けてないが、必要であれば、他の実施形態で使用するシャフト保持具１１を取付けることもできる。
【００３０】
（使用例３）
図６のヘッドカバー１をヘッドＨに被せるには、ヘッドカバー１を一方の手（例えば、左手）に持ち、クラブＣを他方の手（例えば、右手）に持って、ヘッドＨを図６のヘッド出入口７内にその下方から押し込む。このとき、伸縮材１８が伸びるため、ヘッドを押し込み易い。その後に、シャフトＳをシャフト出入口８に押し込んで、ヘッドＨ及びシャフトＳのネックＮ側をヘッドカバー１内に押し込む（ヘッドカバー１を被せる）。
【００３１】
ヘッドカバー１を被せてあるヘッドＨを、ヘッドカバー１から取り出す（ヘッドカバー１を外す）には、ヘッドカバー１を一方の手（例えば、左手）に持ち、シャフトＳの下部を他方の手（例えば、右手）に持って、シャフトＳを上方に持ち上げてシャフト保護部３から抜き出す。その後に、シャフトＳを引き下げて、ヘッドＨをヘッド出入口７から抜き出す。
【００３２】
（実施形態４）
本発明のヘッドカバー１の第４の実施形態を、図７（ａ）、（ｂ）を参照して説明する。図７（ａ）に示すヘッドカバー１は基本的には図３（ａ）に示すヘッドカバー１と同じであり、異なるのは、シャフト保持具１１が図７（ｂ）に示すリング状であることである。図７（ａ）に示すものはリング状のシャフト保持具１１を二つ使用してあるが、使用数は一つでも、三つ以上であってもよい。取付け箇所も図示した以外の箇所であってもよい。図７（ｂ）のシャフト保持具１１も金属製或いは樹脂製であり、開口部１２の幅をシャフトＳの直径よりも多少狭くして、開口部１２にシャフトＳを押し込むと開口部１２が押し広げられてシャフトＳが保持部１３内に押し込まれて、保持部１３内に保持されるようにしてある。開口部１２の両縁部も多少外広がりにしてシャフトＳを押し込み易くしてある。
【００３３】
図７（ａ）のシャフト保持具１１も開口部１２が常にシャフト出入口８の正面を向く様に、シャフト保護部３のクッション材１０内に配置固定されている。シャフト保持具１１はその開口部１２をシャフト出入口８に向けてシャフト保護部３に固定してある。固定は糸での縫い付けとか接着剤での接着といった各種手段で行うことができる。
【００３４】
（使用例４）
図７（ａ）のヘッドカバー１は図３（ａ）のヘッドカバー１と同様にして、ヘッドＨ及びシャフトＳをヘッドカバー１に出し入れすることができる。
【００３５】
（実施形態５）
本発明のヘッドカバー１の第５の実施形態を、図８を参照して説明する。図８に示すヘッドカバー１は基本的には図３（ａ）に示すヘッドカバー１と同じであり、異なるのは、シャフト保持具１１に線状（紐状）或いは棒状の磁石を使用したことである。この磁石は、常時、吸着して、シャフト出入口８を閉塞している。磁石の太さ、硬さ、磁力強度等は、シャフト出入口８の開閉に適するように選択することができる。
【００３６】
（使用例５）
図８のヘッドカバー１は、図３（ａ）のヘッドカバー１と同様にして、ヘッドＨ及びシャフトＳをヘッドカバー１に出し入れすることができる。この場合、シャフト出入口８にシャフトＳを押し込むときに、二本の保持具（磁石）１１の上方から二本の磁石の間に割り込ませるように押し込むことにより、磁石が離れてシャフトＳがシャフト保護部３内に押し込まれる。シャフトＳがシャフト保護部３内に完全に押し込まれると磁石が自動的に吸着してシャフト出入口８が閉塞される（図１１（ｂ））。
【００３７】
（実施形態６）
本発明のヘッドカバー１の第６の実施形態を、図９を参照して説明する。図９に示すヘッドカバー１は基本的には図８に示すヘッドカバー１と同じであり、異なるのは、シャフト保持具１１に丸ボタン状の磁石を使用したことである。この磁石は、常時、吸着して、シャフト出入口８を閉塞している。磁石の直径、磁力強度等はシャフト出入口８の開閉に適するように選択することができる。
【００３８】
（使用例６）
図９のヘッドカバー１は、図３（ａ）のヘッドカバー１と同様にして、ヘッドＨ及びシャフトＳをヘッドカバー１に差し込むことができ、ヘッドカバー１から取り出すことができる。この場合、シャフト出入口８にシャフトＳを押し込むときに、シャフトＳを対向する保持具（磁石）１１の間に割り込ませて押し込むことにより、対向する磁石の吸着が離れてシャフトＳがシャフト保護部３内に押し込まれる。シャフトＳがシャフト保護部３内に完全に押し込まれると、磁石が自動的に吸着してシャフト出入口８が閉塞される（図１１（ｃ））。
【００３９】
（実施形態７）
本発明のヘッドカバー１は、シャフト保持具１１として、図１０（ａ）、（ｂ）に示すものを使用することもできる。このシャフト保持具１１はほぼ半円形の保持片１５ａ、１５ｂがヒンジ部１６で連結されて開閉可能としてあり、図１０（ｂ）に示すようにヒンジ部１６を内側に押すと両保持片１５ａ、１５ｂが外側に開き、押しを解放すると両保持片１５ａ、１５ｂが自動的に図１０（ａ）のように閉じるようにしてある。このシャフト保持具１１も、その開口部１２がシャフト保護部３のシャフト出入口８を向くようにクッション材１０内に配置固定する。図１０（ａ）、（ｂ）のシャフト保持具１１は図３（ａ）、図６〜図９のいずれのヘッドカバー１にも採用することができる。
【００４０】
（使用例７）
図１０（ａ）、（ｂ）のシャフト保持具１１を内装固定したヘッドカバー１を使用するには、図３（ａ）のヘッドカバー１と同様にして、ヘッドＨ及びシャフトＳをヘッドカバー１のヘッド出入口７から差し込むことができ、ヘッドカバー１から取り出すことができる。シャフト出入口８にシャフトＳを押し込むときに、ヘッドカバー１を持った片手の指でヒンジ部１６を押して両保持片１５ａ、１５ｂを開いてシャフト出入口８（開口部１２）を開き、その状態でシャフトＳを両保持片１５ａ、１５ｂ間に押し込む。その後、前記ヒンジ部１６の押しを開放すると両保持片１５ａ、１５ｂが自動的に閉じてシャフトＳが保持される。
【００４１】
ヘッドカバー１からクラブＣを取り出すときは、ヘッドカバー１を一方の手で持ち、他方の手でシャフトＳを下方から上方に持ち上げて、シャフトＳをシャフト保護部３から抜き出し、その後にヘッドＨをヘッド保護部２から抜き出す。
【００４２】
（実施形態８）
本発明のヘッドカバー１は図１２に示すものであってもよい。このヘッドカバー１は図３（ａ）のヘッドカバー１のシャフト出入口８の上部に丸ボタン状の磁石（開閉具）１７を対向配置して取り付けたものである。この両磁石１７はシャフト出入口８の両縁部を閉じることにより吸着する。開閉具１７以外は、他の実施形態と同様とすることができる。
【００４３】
（使用例８）
図１２のヘッドカバーを使用するには、図１３（ａ）、（ｂ）に示すようにヘッドＨ及びシャフトＳをヘッドカバー１に差し込むことができ、この差し込み時に、吸着している両磁石１７が強制的に離されてシャフトＳが押し込まれ、保持具１１に押し込まれて保持される。挿し込み後は両磁石１７を吸着させてシャフト出し入れ口８の上端部を閉じる。クラブを取り出すときは、差し込み時と逆に、シャフトＳの下部を上方に持ち上げて保持具１１から外し、更に引き上げて吸着している両磁石１７を強制的に離し、シャフトＳを下に引いてヘッドをヘッド出し入れ口７から引き抜くことができる。
【００４４】
（その他の実施形態）
本発明におけるシャフト保持具１１や開閉具１７には、スナップボタン、面状ファスナーといったものを使用することもできる。シャフト保持具１１や開閉具１７はこれら以外であってもよい。シャフト保持具１１はヘッドカバー１を両手で開く動作を必要としない構造のものが望ましい。開閉具１７は指でのワンタッチ操作で開閉可能なものとするのが望ましい。
【符号の説明】
【００４５】
１    ヘッドカバー
２    ヘッド保護部
３    シャフト保護部
４    クラウン被覆部
４ａ  （クラウン被覆部の）端部
５    フェース被覆部
５ａ  （フェース被覆部の）端部
６    ソール被覆部
６ａ  （ソール被覆部の）開口側端部
６ｂ  （ソール被覆部の）幅方向両端部
７    ヘッド出入口
８    シャフト出入口
１０  クッション材
１１  シャフト保持具
１２  （シャフト保持具の）開口部
１３  （シャフト保持具の）保持部
１５ａ、１５ｂ  保持片
１６  ヒンジ部
１７  開閉具（磁石）
１８  伸縮材
Ｃ    クラブ
Ｈ    ヘッド
Ｎ    ネック
Ｓ    シャフト
【要約】
【課題】  ゴルフクラブを手軽に収容、取出し可能であり、キャディーバッグ内での傷付きを防止可能なゴルフクラブ用ヘッドカバーを提供する。
【解決手段】  ソール被覆部にヘッドを押し込み引き抜き可能なヘッド出入口が開口され、シャフト保護部にシャフトのネック側を押し込み引き抜き可能なシャフト出入口が設けられ、ヘッド出入口はソール被覆部のネック側に開口され、シャフト出入口はシャフト保護部の背面側であってヘッド出入口からシャフト保護部の下端部まで一連に開口されたものである。シャフト保護部にはシャフト保持具を設けることができる。ソール被覆部の一部をクラウン被覆部とフェース被覆部から分離し、ソール被覆部のヘッド出入口側が起き上がるようにしてもよい。シャフト出入口に開閉具を設け、シャフト出入口を開閉可能とすることもできる。
【選択図】図１【図１】
0005554443.tif 000002
【図２】
0005554443.tif 000003
【図３】
0005554443.tif 000004
【図４】
0005554443.tif 000005
【図５】
0005554443.tif 000006
【図６】
0005554443.tif 000007
【図７】
0005554443.tif 000008
【図８】
0005554443.tif 000009
【図９】
0005554443.tif 000010
【図１０】
0005554443.tif 000011
【図１１】
0005554443.tif 000012
【図１２】
0005554443.tif 000013
【図１３】
0005554443.tif 000014